(57)【要約】【課題】施工作業の作業性の向上を図る。【解決手段】非常用点灯装置１は、後面が開放された箱状であり、光源ユニット４及び電源ユニット５を内部に収めるように本体２に取り付けられるカバー３を備える。カバー３は、金属製のカバー本体３０と、透光性を有する合成樹脂材料によって後面が開放された箱状に形成されている透光カバー３３と、カバー本体３０及び透光カバー３３を本体２に固定する固定金具３４とを有する。カバー本体３０は、多角形状に形成された前壁３１と、前壁３１のそれぞれの辺から後方へ突き出た複数の側壁３２とを有する。固定金具３４は、複数の側壁３２のうちの少なくとも一つの側壁３２に固定される第１固定片３４１とを有する。第１固定片３４１は、側壁３２と第１固定片３４１との間に透光カバー３３を挟んでボルト３５とナットによって側壁３２に固定されている。【選択図】        図２
2019160760.tif 000002
【特許請求の範囲】
【請求項１】
光源と、
非常用電源から供給される電力によって前記光源を点灯させる電源ユニットと、
平板状の底板を有し、前記底板の前面に前記光源及び前記電源ユニットが取り付けられる本体と、
後面が開放された箱状であり、前記光源及び前記電源ユニットを内部に収めるように前記本体に取り付けられるカバーと
を備え、
前記カバーは、
金属製のカバー本体と、
透光性を有する合成樹脂材料によって後面が開放された箱状に形成されている透光カバーと、
前記カバー本体及び前記透光カバーを前記本体に固定する一つ以上の固定金具と
を有し、
前記カバー本体は、
多角形状に形成された前壁と、
前記前壁のそれぞれの辺から後方へ突き出た複数の側壁と
を有し、
前記一つ以上の固定金具は、
前記複数の側壁のうちの少なくとも一つの側壁に固定される固定片を有し、
前記固定片は、前記少なくとも一つの側壁と前記固定片との間に前記透光カバーを挟んで締結用部品によって前記少なくとも一つの側壁に固定されている、
非常用点灯装置。
【請求項２】
前記複数の側壁のうちで互いに隣り合った側壁同士が分離されている、
請求項１記載の非常用点灯装置。
【請求項３】
前記複数の側壁に含まれる第１の側壁と第２の側壁が互いに隣り合っており、
前記第２の側壁の複数の端部のうちの前記第１の側壁と隣り合う端部は、前記第１の側壁の厚み方向から見て前記第１の側壁と重なるように曲げられている、
請求項２記載の非常用点灯装置。
【請求項４】
前記第１の側壁が前記固定片と固定されている、
請求項３記載の非常用点灯装置。
【請求項５】
前記第２の側壁が前記固定片と固定されている、
請求項３記載の非常用点灯装置。
【請求項６】
前記第２の側壁の前記端部の表面の色は前記第１の側壁の表面の色と同系色である、
請求項４又は５記載の非常用点灯装置。
【請求項７】
前記本体の前面に設けられ、前記本体と前記カバーとの隙間をシールするシール部材を更に備え、
前記透光カバーの後端が前記シール部材に押し当てられる、
請求項１〜６のいずれか１項に記載の非常用点灯装置。
【請求項８】
前記固定片は、前記側壁の外側面との間に隙間を空けて固定され、
前記側壁及び前記透光カバーのそれぞれの前記固定片によって隠れる位置に、前記側壁及び前記透光カバーを貫通する貫通孔がそれぞれ設けられ、
前記貫通孔は、透湿性及び防水性を有するシート部材によって塞がれる、
請求項１〜７のいずれか１項に記載の非常用点灯装置。
【請求項９】
操作入力を受け付けるための操作部材を更に備え、
前記電源ユニットは、前記操作入力に応じて前記光源を点灯させる機能を有し、
前記操作部材は、前記カバー本体の前記前壁と対向する前記透光カバーの前面に配置される、
請求項１〜８のいずれか１項に記載の非常用点灯装置。
【発明の詳細な説明】
【技術分野】
【０００１】
本発明は、非常用点灯装置に関し、より詳細には、防水構造を有する非常用点灯装置に関する。
【背景技術】
【０００２】
従来の非常用点灯装置の一例として特許文献１記載の誘導灯装置を例示する。特許文献１記載の誘導灯装置（非常用点灯装置）は、本体部、表示ユニット、枠部、点滅装置を有する。本体部は、天井や壁などに直付けされる部分であり、端子台、電源回路、充電池などを内蔵している。表示ユニットは、光源ユニット、表示パネル、表示ユニット枠を有する。表示パネルは、例えば避難誘導を表す図柄など所定の図柄が表示されている。枠部は、表示ユニットを覆う。点滅装置は、例えばキセノンランプやＬＥＤなどの光源を内蔵し、火災信号を受信した場合などの非常時に点滅する。
【先行技術文献】
【特許文献】
【０００３】
【特許文献１】特開２０１３−２５７８９４号公報
【発明の概要】
【発明が解決しようとする課題】
【０００４】
ところで、上記従来例のような非常用点灯装置（誘導灯装置）が軒先などの雨水がかかる場所に設置される場合、非常用点灯装置を雨水から保護するための防水構造が必要である。簡易な防水構造として、例えば、透光性を有する合成樹脂製の防水カバーで枠部を囲むことが考えられる。しかしながら、このような防水構造では、施工時において枠部を本体部に取り付ける作業と防水カバーを本体部に取り付ける作業が必要であり、施工作業の作業性の向上を図ることが難しい。
【０００５】
本発明の目的は、施工作業の作業性の向上を図ることができる非常用点灯装置を提供することである。
【課題を解決するための手段】
【０００６】
本発明の一態様に係る非常用点灯装置は、光源と、非常用電源から供給される電力によって前記光源を点灯させる電源ユニットとを備える。前記非常用点灯装置は、平板状の底板を有し、前記底板の前面に前記光源及び前記電源ユニットが取り付けられる本体を更に備える。前記非常用点灯装置は、後面が開放された箱状であり、前記光源及び前記電源ユニットを内部に収めるように前記本体に取り付けられるカバーを更に備える。前記カバーは、金属製のカバー本体と、透光性を有する合成樹脂材料によって後面が開放された箱状に形成されている透光カバーと、前記カバー本体及び前記透光カバーを前記本体に固定する一つ以上の固定金具とを有する。前記カバー本体は、多角形状に形成された前壁と、前記前壁のそれぞれの辺から後方へ突き出た複数の側壁とを有する。前記一つ以上の固定金具は、前記複数の側壁のうちの少なくとも一つの側壁に固定される固定片を有する。前記固定片は、前記少なくとも一つの側壁と前記固定片との間に前記透光カバーを挟んで締結用部品によって前記少なくとも一つの側壁に固定されている。
【発明の効果】
【０００７】
本発明の非常用点灯装置は、施工作業の作業性の向上を図ることができるという効果がある。
【図面の簡単な説明】
【０００８】
【図１】図１は、本発明の一実施形態に係る非常用点灯装置の斜視図である。
【図２】図２は、同上の非常用点灯装置の分解斜視図である。
【図３】図３は、同上の非常用点灯装置のカバーを外した状態の正面図である。
【図４】図４は、同上の非常用点灯装置のカバーを外した状態の側面図である。
【図５】図５は、同上の非常用点灯装置の枠体を外した状態の斜視図である。
【図６】図６は、同上の非常用点灯装置におけるカバーの分解斜視図である。
【図７】図７は、同上の非常用点灯装置の要部の断面図である。
【図８】図８は、同上の非常用点灯装置におけるカバーの要部の背面図である。
【発明を実施するための形態】
【０００９】
本発明の一態様に係る非常用点灯装置の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
実施形態の非常用点灯装置１は、誘導灯器具の近傍に取り付けられ、誘導灯信号装置から信号（点滅信号）を受けて、誘導効果を高めるためにＬＥＤ光源を点滅させる、いわゆる独立形点滅装置である（日本照明工業会規格JIL5502-2008参照）。非常用点灯装置１は、建物の屋側の壁に直付けされる防水型の点滅装置である。ただし、非常用点灯装置は独立形点滅装置に限定されず、誘導灯器具又は非常灯などの点滅装置以外の非常時用照明器具であってもよい。
【００１１】
非常用点灯装置１は、図１及び図２に示すように、光源ユニット４と、電源ユニット５と、光源ユニット４及び電源ユニット５が取り付けられる本体２と、本体２に取り付けられるカバー３とを備える。非常用点灯装置１は、蓄電池ブロック６と、スイッチブロック７と、枠体８とを更に備える。なお、以下の説明においては、特に断りのない限り、図２に矢印で示す向きにおいて、非常用点灯装置１の上下、左右及び前後の各方向を規定する。
【００１２】
光源ユニット４は、発光ダイオード（Light Emitting Diode）と、ＬＥＤを支持するホルダ４１と、コネクタ４２と、レンズ４３と、取付板４４とを有している（図３及び図４参照）。ＬＥＤ（不図示）は、例えば、ＣＯＢ（Chip on Board）型の照明用白色ＬＥＤである。
【００１３】
ホルダ４１は、ポリカーボネート樹脂などの合成樹脂材料によって円板状に形成されている。ホルダ４１の中央部にＬＥＤが保持されている。コネクタ４２はホルダ４１と一体に形成されている。コネクタ４２は、角筒状に形成されて一対の端子板（不図示）を内部に収容して保持している。一対の端子板のうちの一方の端子板はＬＥＤのアノードと電気的に接続されている。また、一対の端子板のうちの他方の端子板はＬＥＤのカソードと電気的に接続されている。
【００１４】
レンズ４３は、アクリル樹脂によってドーム状に形成されている。ただし、レンズ４３は、ケイ酸塩ガラスや石英ガラスのような不燃材によって形成されてもかまわない。取付板４４は、平板状の固定部４４０と、一対の取付部４４１とを有している（図２及び図３参照）。固定部４４０と一対の取付部４４１とは、例えば、アルミ板によって一体に形成されている。固定部４４０の前面にホルダ４１とレンズ４３がねじ止めされる。
【００１５】
蓄電池ブロック６は、複数本の乾電池型の電池セルが熱収縮チューブに包まれて構成された蓄電池６０と、蓄電池６０を保持する電池ホルダ６１と、蓄電池６０と電気的に接続されている電線６２とを有している（図３参照）。なお、電池セルは、例えば、円筒形の密閉形ニッケル・水素蓄電池である。
【００１６】
スイッチブロック７は、点検スイッチ（不図示）と充電モニタ（不図示）を有する。また、スイッチブロック７は、点検スイッチ及び充電モニタを収容するケース７１と、ケース７１の外から点検スイッチを操作するための操作ボタン７０とを有する（図３及び図４参照）。
【００１７】
ケース７１は、合成樹脂材料によって直方体形状の箱形に形成されている。ケース７１の前面には、操作ボタン７０がはめ込まれる操作孔７１０と、操作孔７１０よりも径の小さい表示孔７１１とが設けられている（図３参照）。操作ボタン７０は円柱状に形成されており、前後方向に移動可能な状態で操作孔７１０にはめ込まれている。ケース７１内において操作孔７１０と前後方向に対向する位置に、押ボタンスイッチからなる点検スイッチが配置されている。したがって、ケース７１の外から押された操作ボタン７０がケース７１内に移動し、操作ボタン７０の後端で点検スイッチが押操作される。ケース７１内において表示孔７１１と前後方向に対向する位置に表示用のＬＥＤからなる充電モニタが配置されている。すなわち、充電モニタの発する光（例えば、緑色の光）が表示孔７１１を通してケース７１の外に放射される。
【００１８】
電源ユニット５は、蓄電池６０から供給される電力によって光源ユニット４を駆動する駆動回路（不図示）を有する。電源ユニット５は、商用の電力系統から供給される交流電力を直流電力に変換して蓄電池６０を充電する充電回路（不図示）と、駆動回路及び充電回路を収容する筐体５１とを更に有する。電源ユニット５は、誘導灯信号装置から点滅信号を受信するか、あるいは煙感知器から煙感知信号を受信したときに駆動回路によって光源ユニット４を点灯させる。ただし、電源ユニット５は、誘導効果を高めるために光源ユニット４を間欠駆動することが好ましい。
【００１９】
さらに、電源ユニット５は、スイッチブロック７の点検スイッチの状態を監視し、点検スイッチがオンされている間、充電回路を強制的に停止させるとともに駆動回路を動作させて蓄電池ブロック６から供給される電力で光源ユニット４を点灯させる。つまり、点検スイッチが操作されることによって、電源ユニット５の点検動作が行われる。
【００２０】
スイッチブロック７の充電モニタは、電源ユニット５の充電回路によって充電されている間だけ点灯し、電源ユニット５の充電回路によって充電されていないときに消灯する。つまり、充電モニタは、充電中に点灯することによって蓄電池ブロック６の蓄電池６０が充電されていることを表示する。
【００２１】
電源ユニット５の筐体５１は、合成樹脂材料によって箱状に形成されている（図２〜図４参照）。筐体５１は、上述した駆動回路及び充電回路を構成するプリント回路板（不図示）を収容している。筐体５１の一つの角部から２本の電線（電源線５２）が筐体５１の外に引き出されている。これら２本の電源線５２は、後述する第１端子台１１の２次側の端子と電気的に接続される（図３参照）。
【００２２】
筐体５１の長手方向の一方の端部（図３における右側の端部）には、プリント回路板に実装されている信号用端子台５０３が露出している。信号用端子台５０３は、多極（図示例では１０極）のねじなし端子台である。信号用端子台５０３の一方の端（上端）の２極の端子と、後述する第２端子台１２の２次側の２極の端子とが２本の信号線５３によって電気的に接続される。また、信号用端子台５０３の他方の端（下端）の２極の端子と、後述する第３端子台１３の２次側の２極の端子とが２本の信号線５４によって電気的に接続される。
【００２３】
筐体５１の長手方向の他方の端部（左側の端部）には、プリント回路板に実装されている３つの端子部５０４〜５０６が露出している。これら３つの端子部５０４〜５０６は、筐体５１の短手方向（上下方向）に沿って一列に並んでいる。一番下の端子部５０４は２極の端子を有しており、蓄電池ブロック６の２本の電線６２とそれぞれ１極ずつ電気的に接続される。中央の端子部５０５は３極の端子を有しており、スイッチブロック７の３本の電線７３とそれぞれ１極ずつ電気的に接続される。一番上の端子部５０６は２極の端子を有しており、２本の電線（出力線５５）とそれぞれ１極ずつ電気的に接続される。なお、これら２本の出力線５５は、光源ユニット４のコネクタ４２と電気的に接続される。
【００２４】
本体２は、長方形状の底板２０と、底板２０の左辺及び右辺の各々から立ち上がる二つの側板２１と、二つの側板２１の各々の前端から底板２０と平行するように外向きに突き出た二つのカバー取付片２４とを有する（図２〜図４参照）。
【００２５】
底板２０は、常用電源（例えば、商用の電力系統）から給電されるための電線（電源線）が通される第１電線孔２０１と、点滅信号が伝送される電線（信号線）が通される第２電線孔２０２とを有している（図２及び図３参照）。ただし、第２電線孔２０２には、点滅信号用の信号線とともに、煙感知器から煙感知信号が伝送される電線（信号線）が通される場合もある。
【００２６】
第２電線孔２０２は、正方形の四つの角が丸められた角丸四角形状に形成されて底板２０を厚み方向（前後方向）に貫通している。第２電線孔２０２は、底板２０のほぼ中央に設けられている。第１電線孔２０１は、長円形に形成されて底板２０を厚み方向（前後方向）に貫通している。第１電線孔２０１は、底板２０のほぼ中央における第２電線孔２０２の左隣に設けられている（図３参照）。
【００２７】
さらに、底板２０における第２電線孔２０２の上に、だるま孔からなる第１取付孔２０４が設けられ、底板２０における第２電線孔２０２の下に、長孔からなる一対の第２取付孔２０５が設けられている（図３参照）。すなわち、本体２は、底板２０の第１取付孔２０４及び少なくとも一方の第２取付孔２０５に１本ずつ通される複数本の取付ねじ（不図示）によって造営材（屋側の壁）にねじ止めされる。
【００２８】
底板２０の前面における第１電線孔２０１の左隣に第１端子台１１が取り付けられている。第１端子台１１は、電源用の端子台である。すなわち、第１端子台１１の１次側の端子に、第１電線孔２０１に通される電源線（不図示）が電気的に接続される。底板２０の前面における第１取付孔２０４の右隣に第２端子台１２が取り付けられている。第２端子台１２は、点滅信号用の端子台である。すなわち、第２端子台１２の１次側の端子に、第２電線孔２０２に通される点滅信号用の信号線（不図示）が電気的に接続される。さらに、底板２０の前面における第２端子台１２の下に第３端子台１３が取り付けられている。第３端子台１３は、煙感知信号用の端子台である。すなわち、第３端子台１３の１次側の端子に、第２電線孔２０２に通される煙感知信号用の信号線（不図示）が電気的に接続される。
【００２９】
底板２０の前面に第１シール部材２６が取り付けられる（図２及び図３参照）。第１シール部材２６は、ウレタン樹脂などの合成樹脂によって長方形の枠状に形成されている。第１シール部材２６は、底板２０の前面における最外周に配置されている。
【００３０】
底板２０の前面における第２取付孔２０５の下方には、取付板４４を介して光源ユニット４が取り付けられた支持板４６、スイッチブロック７が固定された台座７２及び蓄電池ブロック６がそれぞれねじあるいはリベットによって取り付けられている。
【００３１】
支持板４６は、取付部４６０と、一対の脚部４６１とを有している。取付部４６０は、おおむね長方形状に形成されている。一対の脚部４６１は、Ｌ字形状に形成されている。一方の脚部４６１は、取付部４６０の左辺及び右辺から後方へ突き出ている。各脚部４６１の後端部分に、固定ねじ４６２が通される孔（不図示）が一つずつ設けられている。支持板４６は、一対の脚部４６１の各々の孔に通された固定ねじ４６２が底板２０に設けられているねじ孔（不図示）にねじ込まれることで底板２０に固定される（図３参照）。
【００３２】
支持板４６の取付部４６０に取付板４４が取り付けられる。なお、光源ユニット４のコネクタ４２は、支持板４６の取付部４６０を貫通する開口部４６７を通して取付部４６０の後面側に配置される（図３及び図４参照）。
【００３３】
底板２０の前面における上部に支持部２０７が設けられている。支持部２０７は、底板２０の前面から前方へ突き出た縦片２０７０と、縦片２０７０の前端から底板２０と平行するように下向きに突き出した横片２０７１とを有している（図２〜図４参照）。
【００３４】
さらに、底板２０の前面における第１電線孔２０１の左隣に支持部材２５が取り付けられている。支持部材２５は、長方形状の取付部２５０と、取付部２５０の右辺及び下辺からそれぞれ後方へ突き出た一対の固定脚２５１と、取付部２５０の上辺から上向きに突き出た押さえ片２５２とを有している（図２及び図３参照）。なお、取付部２５０、一対の固定脚２５１及び押さえ片２５２は、金属板が加工されることによって一体に形成されている。
【００３５】
支持部材２５は、一対の固定脚２５１のそれぞれが底板２０にねじ止めされることによって本体２に固定される（図３参照）。取付部２５０の前面に第１端子台１１が取り付けられる。押さえ片２５２の上端部分が逆Ｌ字形状に形成されている（図２参照）。また、押さえ片２５２の長手方向（上下方向）の中央に電線保持具４７が取り付けられている。電線保持具４７は、電源ユニット５の筐体５１から引き出された電源線５２を保持する。
【００３６】
支持部材２５は、支持部２０７とともに電源ユニット５の筐体５１を支持する。具体的には、筐体５１の長手方向に沿った一方の端部（上端部）が、底板２０と、支持部２０７の横片２０７１との間に差し込まれている。さらに、筐体５１の長手方向に沿った他方の端部（下端部）が、底板２０と、支持部材２５の押さえ片２５２の上端部分との間に差し込まれている（図２〜図４参照）。つまり、筐体５１は、支持部２０７及び押さえ片２５２と底板２０に挟まれるようにして本体２に取り付けられる。
【００３７】
左側のカバー取付片２４は、左側の側板２１の前端から底板２０と平行するように外向き（左向き）に突き出ている。右側のカバー取付片２４は、右側の側板２１の前端から底板２０と平行するように外向き（右向き）に突き出ている。一対のカバー取付片２４の各々は、一対のねじ孔２４０と、四つの突部２４１とを有している（図３参照）。
【００３８】
一対のねじ孔２４０は、カバー取付片２４の長手方向（上下方向）の中央と、カバー取付片２４の長手方向の両端との中間にそれぞれ一つずつ設けられている。四つの突部２４１のうちの二つの突部２４１は、上側のねじ孔２４０を挟んで上下に並ぶように設けられている。四つの突部２４１のうちの残り二つの突部２４１は、下側のねじ孔２４０を挟んで上下に並ぶように設けられている。なお、これらの突部２４１は、カバー取付片２４を構成する金属板が切り起こされてカバー取付片２４と一体に形成されている（図４参照）。
【００３９】
カバー３は、金属製のカバー本体３０と、合成樹脂製の透光カバー３３と、一対の固定金具３４とを有している（図２、図５及び図６参照）。カバー本体３０は、長方形状の前壁３１と、前壁３１の四辺から後方へ突き出た四つの側壁３２とを有している。前壁３１と四つの側壁３２とは、１枚の金属板から一体に形成されている。なお、以下の説明において、前壁３１の左辺から突き出た側壁３２を左側壁３２１と呼び、前壁３１の右辺から突き出た側壁３２を右側壁３２２と呼ぶ場合がある。また、前壁３１の上辺から突き出た側壁３２を上側壁３２３と呼び、前壁３１の下辺から突き出た側壁３２を下側壁３２４と呼ぶ場合がある（図６参照）。
【００４０】
これら四つの側壁３２（左側壁３２１、右側壁３２２、上側壁３２３及び下側壁３２４）の前端は、前壁３１の左辺、右辺、上辺及び下辺と繋がっている。しかしながら、隣り合う左側壁３２１と上側壁３２３及び下側壁３２４とは、互いに分離している。同じく、隣り合う右側壁３２２と上側壁３２３及び下側壁３２４とは、互いに分離している。なお、本願明細書において「分離している」とは、隣り合う側壁同士が溶接や締結などのいかなる方法によっても結合されていない状態を意味している。
【００４１】
前壁３１は、第１孔３１１、第２孔３１２及び第３孔３１３の三つの孔を有している（図５参照）。第１孔３１１は、前壁３１の上下方向の中央から僅かに下方の位置に開口した丸孔である。第１孔３１１の直径は、光源ユニット４のレンズ４３の直径よりも僅かに小さい。第２孔３１２は、前壁３１の第１孔３１１の下方の位置に開口した丸孔である。第２孔３１２の直径は、スイッチブロック７の操作ボタン７０の直径よりも僅かに大きい。第３孔３１３は、前壁３１の第２孔３１２の左隣の位置に開口した丸孔である。第３孔３１３の直径は、第２孔３１２の直径よりも十分に小さい。
【００４２】
左側壁３２１は、左側壁３２１を厚み方向（左右方向）に貫通する二つの孔３２０を有している。一方の孔３２０は、左側壁３２１の長手方向の中央と、左側壁３２１の上端との間に設けられている。他方の孔３２０は、左側壁３２１の長手方向の中央と、左側壁３２１の下端との間に設けられている。なお、左側壁３２１の長手方向の中央には、左側壁３２１を厚み方向に貫通する貫通孔３２５が設けられている（図６参照）。
【００４３】
右側壁３２２は、右側壁３２２を厚み方向（左右方向）に貫通する二つの孔（不図示）を有している。一方の孔は、右側壁３２２の長手方向の中央と、右側壁３２２の上端との間に設けられている。他方の孔は、右側壁３２２の長手方向の中央と、右側壁３２２の下端との間に設けられている。なお、右側壁３２２の長手方向の中央には、右側壁３２２を厚み方向に貫通する貫通孔３２５が設けられている（図６参照）。
【００４４】
上側壁３２３及び下側壁３２４の各々の左右両側の端部３２３０、３２４０は、左側壁３２１及び右側壁３２２の厚み方向（左右方向）から見て左側壁３２１及び右側壁３２２と重なるように曲げられている（図６及び図７参照）。
【００４５】
透光カバー３３は、長方形状の前板３３０と、前板３３０の四辺から後方へ突き出した四つの側板３３１とを有している。前板３３０と四つの側板３３１とは、アクリル樹脂のような透光性を有する合成樹脂により、後面が開放された箱状に形成されている（図５及び図６参照）。
【００４６】
左側の側板３３１は、厚み方向（左右方向）に貫通する二つの孔３３１０を有している。一方の孔３３１０は、左側の側板３３１の長手方向の中央と、左側の側板３３１の上端との間に設けられている。他方の孔３３１０は、左側の側板３３１の長手方向の中央と、左側の側板３３１の下端との間に設けられている。なお、左側の側板３３１の長手方向の中央には、厚み方向に貫通する通気孔３３１１が設けられている（図６参照）。
【００４７】
右側の側板３３１は、厚み方向（左右方向）に貫通する二つの孔３３１０を有している。一方の孔３３１０は、右側の側板３３１の長手方向の中央と、右側の側板３３１の上端との間に設けられている。他方の孔３３１０は、右側の側板３３１の長手方向の中央と、右側の側板３３１の下端との間に設けられている。なお、右側の側板３３１の長手方向の中央には、厚み方向に貫通する通気孔３３１１が設けられている（図６参照）。
【００４８】
前板３３０の左右方向の中央における下部に円形の孔３３２が貫通している。この孔３３２は、前後方向においてカバー本体３０の前壁３１の第２孔３１２と重なっている。この孔３３２には操作部材３３３が取り付けられる。操作部材３３３は、シリコーンゴムのような柔軟な合成樹脂材料で形成されている。操作部材３３３は、透光カバー３３の前板３３０の孔３３２をシールしている。さらに、操作部材３３３が後方へ押されると、カバー本体３０の前壁３１の第１孔３１１から突き出した操作ボタン７０が操作部材３３３に押されて押操作される。つまり、非常用点灯装置１は、本体２にカバー３が取り付けられた状態でスイッチブロック７の点検スイッチを操作して点検作業を行わせることができる。
【００４９】
透光カバー３３は、内部（前板３３０と四つの側板３３１に囲まれた空間）にカバー本体３０を収容する。カバー本体３０と透光カバー３３は、一対の固定金具３４によって結合される。
【００５０】
一対の固定金具３４の各々は、第１固定片３４１と、第２固定片３４２と、第３固定片３４３とを有している（図５及び図６参照）。第１固定片３４１は、長尺の長方形状に形成されている。第１固定片３４１には二つの孔３４１０が設けられている。これら二つの孔３４１０は、第１固定片３４１を厚み方向に貫通した丸孔である（図６参照）。
【００５１】
第２固定片３４２は、長尺の長方形状に形成されている。第２固定片３４２は、第１固定片３４１の長手方向に沿った一端から第１固定片３４１の厚み方向（左右方向）に突き出ている。第２固定片３４２には二つの孔３４４が設けられている。これら二つの孔３４４は、第２固定片３４２を厚み方向に貫通した丸孔である。ただし、孔３４４の内径は、後述するボルト３５の頭部３５０の直径よりも小さい。なお、第１固定片３４１と第２固定片３４２とは、長手方向の長さが等しい（図５及び図６参照）。
【００５２】
第３固定片３４３は、第１固定片３４１及び第２固定片３４２よりも長手方向の長さが短い長方形状に形成されている。第３固定片３４３は、第１固定片３４１の長手方向の中央から第１固定片３４１の厚み方向（左右方向）に突き出ている。第３固定片３４３の長手方向の中央にねじ孔３４５が設けられている（図５及び図６参照）。
【００５３】
一方の固定金具３４は、透光カバー３３の左側の側板３３１とカバー本体３０の左側壁３２１に取り付けられる。具体的には、第１固定片３４１の上側の孔３４１０に差し込まれたボルト３５が、左側の側板３３１の上側の孔３３１０を通され、シール座金３７に通された後、左側壁３２１の上側の孔３２０に通される。そして、左側壁３２１の上側の孔３２０に通されたボルト３５にナット３６が締め付けられる。これにより、透光カバー３３に一対の固定金具３４が取り付けられ、かつ、一対の固定金具３４を介してカバー本体３０と透光カバー３３が結合される。ただし、ナット３６の代わりにカバー本体３０の側壁３２にねじ孔（雌ねじ）が設けられてもかまわない。
【００５４】
カバー３は、本体２の底板２０に取り付けられている全ての部品（光源ユニット４、電源ユニット５など）をカバー本体３０の内部（前壁３１と四つの側壁３２に囲まれた空間）に収めるようにして本体２にかぶせられる。そして、一対の固定金具３４の第２固定片３４２が、本体２の一対のカバー取付片２４に固定される。具体的には、第２固定片３４２の二つの孔３４４のそれぞれに１本ずつ差し込まれた雄ねじ（不図示）が、カバー取付片２４の二つのねじ孔２４０のそれぞれに１本ずつねじ込まれ、第２固定片３４２とカバー取付片２４が結合されてカバー３が本体２と固定される。
【００５５】
ここで、複数の側壁３２の前後方向の長さが透光カバー３３の側板３３１の前後方向の長さよりも短く、かつ、透光カバー３３の側板３３１が側壁３２の後端よりも後方へ飛び出している。その結果、透光カバー３３（の側板３３１）の後端がシール部材（第１シール部材２６）に押し当てられている（図７参照）。このように、透光カバー３３の四つの側板３３１が本体２の第１シール部材２６に押し当てられることにより、透光カバー３３の側板３３１と本体２との隙間が第１シール部材２６でシールされる（図５及び図７参照）。
【００５６】
枠体８は、矩形枠状の前壁８０と、前壁８０の四つの辺から後方へ突き出した四つの側壁８１とを有している（図２及び図７参照）。前壁８０と四つの側壁８１とは、金属材料によって一体に形成されている。前壁８０の左右両側の辺の長手方向の中央にそれぞれに孔８２が一つずつ貫通している。さらに、前壁８０の長手方向（上下方向）に沿って対向する二つの側壁８１のうちで下側の側壁８１の長手方向（左右方向）の中央に水抜き孔８３が貫通している（図１参照）。
【００５７】
枠体８は、前壁８０の開口部分に透光カバー３３を通し、一対の固定金具３４に前方から前壁８０をかぶせるようにして本体２及びカバー３に装着される。そして、枠体８の前壁８０を貫通している二つの孔８２のそれぞれに固定ねじ８４が１本ずつ通される。これら２本の固定ねじ８４は、一対の固定金具３４の第３固定片３４３に設けられているねじ孔３４５にそれぞれ１本ずつねじ込まれる（図７参照）。その結果、枠体８が一対の固定金具３４に固定される（図１参照）。
【００５８】
本実施形態の非常用点灯装置１では、カバー本体３０と透光カバー３３が一対の固定金具３４で結合されてカバー３が構成されている。そのため、非常用点灯装置１の施工作業を行う作業者は、カバー本体３０と透光カバー３３を一緒に本体２に取り付けることができる。したがって、非常用点灯装置１は、カバー本体３０と透光カバー３３が個別に本体２に取り付けられる場合に比べて、施工作業の作業性の向上を図ることができる。
【００５９】
ところで、本実施形態の非常用点灯装置１では、金属製のカバー本体３０の熱膨張に比べて、合成樹脂製の透光カバー３３の熱膨張が数倍から十数倍も大きい。そのため、透光カバー３３の側板３３１の厚みが熱膨張によって増大したとき、固定金具３４によって側板３３１と結合されているカバー本体３０の左側壁３２１及び右側壁３２２にその厚み方向の応力が生じる。左側壁３２１及び右側壁３２２と上側壁３２３及び下側壁３２４が結合されている場合、左側壁３２１及び右側壁３２２に生じる応力によって、左側壁３２１及び右側壁３２２と上側壁３２３及び下側壁３２４の結合部分に不具合が発生するおそれがある。
【００６０】
これに対して本実施形態の非常用点灯装置１では、左側壁３２１及び右側壁３２２と上側壁３２３及び下側壁３２４が分離されているため、左側壁３２１及び右側壁３２２に生じる応力が上側壁３２３及び下側壁３２４に及びにくい。その結果、非常用点灯装置１は、上述のような不具合が発生する可能性を低下させることができる。
【００６１】
ただし、左側壁３２１及び右側壁３２２と上側壁３２３及び下側壁３２４が分離されているため、左側壁３２１及び右側壁３２２と上側壁３２３及び下側壁３２４との間に隙間Ｙ１が生じる（図８参照）。上側壁３２３及び下側壁３２４の各々の左右両側の端部３２３０、３２４０が下向き及び上向きに曲げられていない場合、隙間Ｙ１を通してカバー本体３０内に進行する光が隙間Ｙ１からカバー本体３０の外へ出る可能性は非常に低い。その結果、カバー３の表面（前後方向に沿った４つの辺）に隙間Ｙ１による黒いすじが現れて非常用点灯装置１の見栄えの低下を招くおそれがある。
【００６２】
しかしながら、非常用点灯装置１では、上側壁３２３及び下側壁３２４の各々の左右両側の端部３２３０、３２４０が、左側壁３２１及び右側壁３２２の厚み方向から見て左側壁３２１及び右側壁３２２と重なるように上向き及び下向きに曲げられている。そのため、非常用点灯装置１は、隙間Ｙ１を通してカバー本体３０内に進行する光の一部を、端部３２３０、３２４０に反射させて隙間Ｙ１からカバー本体３０の外へ出させることができる（図７参照）。その結果、非常用点灯装置１は、隙間Ｙ１によってカバー３の表面に現れる黒いすじを目立ちにくくすることができる。さらに、端部３２３０、３２４０の表面（左側壁３２１及び右側壁３２２で隠れる面）の色が左側壁３２１及び右側壁３２２の表面（透光カバー３３の側板３３１と対向する面）の色と同系色となるようにカバー本体３０が構成されている。なお、本明細書中で使用する「同系色」とは、複数の色の明度及び彩度がほぼ等しい無彩色、又は、色相がほぼ等しく、かつ、明度及び彩度が等しいか異なる有彩色を意味している。
【００６３】
端部３２３０、３２４０の表面の色が左側壁３２１及び右側壁３２２の表面の色と同系色であれば、隙間Ｙ１を通して端部３２３０、３２４０の表面が見えたとしても目立ちにくくすることができる。ただし、上側壁３２３及び下側壁３２４の端部３２３０、３２４０に代えて、左側壁３２１及び右側壁３２２のそれぞれの上下方向の端部が、上下方向から見て上側壁３２３及び下側壁３２４に隠れるように曲げられてもかまわない。
【００６４】
ところで、カバー本体３０の左側壁３２１及び右側壁３２２を貫通する貫通孔３２５と、透光カバー３３の側板３３１を貫通する通気孔３３１１とは繋がっている（図７参照）。ただし、左側壁３２１と左側の側板３３１の間、及び右側壁３２２と右側の側板３３１との間にシート部材３３４がそれぞれ挟み込まれている（図７参照）。つまり、通気孔３３１１及び貫通孔３２５は、透湿性及び防水性を有するシート部材３３４によって塞がれる。シート部材３３４は、例えば、ポリテトラフルオロエチレン（四フッ化エチレン樹脂）製の多孔質シートで形成されている。シート部材３３４は、カバー本体３０内の気体（空気、水蒸気などの気体）を通過させ、かつ、カバー３の外からカバー本体３０内への水分子の浸入を阻止することができる。したがって、非常用点灯装置１は、例えば、蓄電池６０が密閉形ニッケル・水素蓄電池を有する場合、密閉形ニッケル・水素蓄電池から放出される水素ガスを貫通孔３２５と通気孔３３１１を通してカバー３の外に排出させることができる。しかも、貫通孔３２５と通気孔３３１１がシート部材３３４で塞がれているので、貫通孔３２５と通気孔３３１１を通して水が浸入することを防ぎつつカバー３内で発生するガスをカバー３の外に排出させることができる。
【００６５】
本発明の第１の態様に係る非常用点灯装置（１）は、光源（光源ユニット４）と、非常用電源（蓄電池６０）から供給される電力によって光源（光源ユニット４）を点灯させる電源ユニット（５）とを備える。第１の態様に係る非常用点灯装置（１）は、平板状の底板（２０）を有し、底板（２０）の前面に光源（光源ユニット４）及び電源ユニット（５）が取り付けられる本体（２）を更に備える。第１の態様に係る非常用点灯装置（１）は、後面が開放された箱状であり、光源（光源ユニット４）及び電源ユニット（５）を内部に収めるように本体（２）に取り付けられるカバー（３）を更に備える。カバー（３）は、金属製のカバー本体（３０）と、透光性を有する合成樹脂材料によって後面が開放された箱状に形成されている透光カバー（３３）と、カバー本体（３０）及び透光カバー（３３）を本体（２）に固定する一つ以上の固定金具（３４）とを有する。カバー本体（３０）は、多角形状に形成された前壁（３１）と、前壁（３１）のそれぞれの辺から後方へ突き出た複数の側壁（３２）とを有する。一つ以上の固定金具（３４）は、複数の側壁（３２）のうちの少なくとも一つの側壁（３２）に固定される固定片（第１固定片３４１）を有する。固定片（第１固定片３４１）は、少なくとも一つの側壁（３２）と固定片（第１固定片３４１）との間に透光カバー（３３）を挟んで締結用部品（ボルト３５、ナット３６）によって少なくとも一つの側壁（３２）に固定されている。
【００６６】
第１の態様に係る非常用点灯装置（１）は、一つ以上の固定金具（３４）によってカバー本体（３０）と透光カバー（３３）が結合されているので、カバー本体（３０）と透光カバー（３３）が別体である場合に比べて、施工作業の作業性の向上を図ることができる。
【００６７】
本発明の第２の態様に係る非常用点灯装置（１）は、第１の態様との組合せにより実現され得る。第２の態様に係る非常用点灯装置（１）において、複数の側壁（３２）のうちで互いに隣り合った側壁同士が分離されていることが好ましい。
【００６８】
第２の態様に係る非常用点灯装置（１）は、カバー本体（３０）と透光カバー（３３）の熱膨張の差に起因してカバー本体（３０）に不具合の発生する可能性を低下させることができる。
【００６９】
本発明の第３の態様に係る非常用点灯装置（１）は、第２の態様との組合せにより実現され得る。第３の態様に係る非常用点灯装置（１）において、複数の側壁（３２）に含まれる第１の側壁（左側壁３２１；右側壁３２２）と第２の側壁（上側壁３２３；下側壁３２４）が互いに隣り合っていることが好ましい。第２の側壁の複数の端部のうちの第１の側壁と隣り合う端部（３２３０；３２４０）は、第１の側壁の厚み方向から見て第１の側壁と重なるように曲げられていることが好ましい。
【００７０】
第３の態様に係る非常用点灯装置（１）は、第１の側壁と第２の側壁の間の隙間（Ｙ１）を通してカバー本体（３０）内に進行する光の一部を、端部（３２３０；３２４０）に反射させて隙間（Ｙ１）からカバー本体（３０）の外へ出させることができる。その結果、第３の態様に係る非常用点灯装置１は、隙間（Ｙ１）によってカバー（３）の表面に現れる黒いすじを目立ちにくくすることができる。
【００７１】
本発明の第４の態様に係る非常用点灯装置（１）は、第３の態様との組合せにより実現され得る。第４の態様に係る非常用点灯装置（１）において、第１の側壁（左側壁３２１；右側壁３２２）が固定片（第１固定片３４１）と固定されていることが好ましい。
【００７２】
第４の態様に係る非常用点灯装置（１）は、固定金具（３４）が取り付けられない第２の側壁の端部が曲げられているため、隙間（Ｙ１）によってカバー（３）の表面に現れる黒いすじを更に目立ちにくくすることができる。
【００７３】
本発明の第５の態様に係る非常用点灯装置（１）は、第３の態様との組合せにより実現され得る。第５の態様に係る非常用点灯装置（１）において、第２の側壁が第１固定片（３４１）と固定されていることが好ましい。
【００７４】
第５の態様に係る非常用点灯装置（１）は、固定金具（３４）が取り付けられている第２の側壁の端部が曲げられているため、隙間（Ｙ１）によってカバー（３）の表面に現れる黒いすじを更に目立ちにくくすることができる。
【００７５】
本発明の第６の態様に係る非常用点灯装置（１）は、第４又は第５の態様との組合せにより実現され得る。第６の態様に係る非常用点灯装置（１）において、第２の側壁の端部の表面の色が第１の側壁の表面の色と同系色であることが好ましい。
【００７６】
第６の態様に係る非常用点灯装置（１）は、隙間（Ｙ１）を通して端部（３２３０、３２４０）の表面が見えたとしても目立ちにくくすることができる。
【００７７】
本発明の第７の態様に係る非常用点灯装置（１）は、第１〜第６の態様のいずれかとの組合せにより実現され得る。第７の態様に係る非常用点灯装置（１）は、本体（２）の前面に設けられ、本体（２）とカバー（３）との隙間をシールするシール部材（第１シール部材２６）を更に備えることが好ましい。透光カバー（３３）の後端がシール部材（第１シール部材２６）に押し当てられることが好ましい。
【００７８】
第７の態様に係る非常用点灯装置（１）は、シール部材（第１シール部材２６）によって透光カバー（３３）の後端と本体（２）の隙間をシールしてカバー本体（３０）内に雨水等が浸入することを防ぐことができる。
【００７９】
本発明の第８の態様に係る非常用点灯装置（１）は、第１〜第７の態様のいずれかとの組合せにより実現され得る。第８の態様に係る非常用点灯装置（１）において、第１固定片（３４１）は、側壁（３２）の外側面との間に隙間を空けて固定されることが好ましい。側壁（３２）及び透光カバー（３３）のそれぞれの第１固定片（３４１）によって隠れる位置に、側壁（３２）及び透光カバー（３３）を貫通する貫通孔（通気孔３３１１、貫通孔３２５）が設けられることが好ましい。貫通孔（通気孔３３１１、貫通孔３２５）は、透湿性及び防水性を有するシート部材（３３４）によって塞がれることが好ましい。
【００８０】
第８の態様に係る非常用点灯装置（１）は、貫通孔がシート部材３３４で塞がれているので、貫通孔を通して水が浸入することを防ぎつつカバー（３）内で発生するガスをカバー（３）の外に排出させることができる。
【００８１】
本発明の第９の態様に係る非常用点灯装置（１）は、第１〜第８の態様のいずれかとの組合せにより実現され得る。第９の態様に係る非常用点灯装置（１）は、操作入力を受け付けるための操作部材（３３３）を更に備えることが好ましい。電源ユニット（５）は、操作入力に応じて光源（光源ユニット４）を点灯させる機能を有することが好ましい。操作部材（３３３）は、カバー本体（３０）の前壁（３１）と対向する透光カバー（３３）の前面（前板３３０）に配置されることが好ましい。
【００８２】
第９の態様に係る非常用点灯装置（１）は、本体（２）にカバー（３）が取り付けられた状態で操作入力を電源ユニット（５）に入力させることができる。その結果、第９の態様に係る非常用点灯装置（１）は、操作入力を電源ユニット（５）に入力させるために本体（２）からカバー（３）を外す必要がないので、使い勝手の向上を図ることができる。
【符号の説明】
【００８３】
１  非常用点灯装置
２  本体
３  カバー
４  光源ユニット（光源）
５  電源ユニット
２０  底板
２６  第１シール部材（シール部材）
３０  カバー本体
３１  前壁
３２  側壁
３３  透光カバー
３４  固定金具
３５  ボルト（締結用部品）
３６  ナット（締結用部品）
６０  蓄電池（非常用電源）
３２１  左側壁（第１の側壁）
３２２  右側壁（第１の側壁）
３２３  上側壁（第２の側壁）
３２４  下側壁（第２の側壁）
３２５  貫通孔
３３３  操作部材
３３４  シート部材
３４１  第１固定片（固定片）
３２３０  端部
３２４０  端部
３３１１  通気孔（貫通孔）
【図１】
2019160760.tif 000003
【図２】
2019160760.tif 000004
【図３】
2019160760.tif 000005
【図４】
2019160760.tif 000006
【図５】
2019160760.tif 000007
【図６】
2019160760.tif 000008
【図７】
2019160760.tif 000009
【図８】
2019160760.tif 000010